(57)【要約】【課題】照明光の光量と読み取り速度を単位時間当たりの読み取り枚数に応じて変更し、スリットガラスの温度が一定の温度以上となることを抑止して安全性を向上した画像読み取り装置及びその方法を提供する。【解決手段】この発明の実施の一形態である画像読取装置は、装置内部の所定の位置の温度を測定する温度センサー（２３）と、温度センサーが測定した温度が基準温度に達したことを判定する判定部（５１）と、判定部の判定結果に基づいて、原稿の情報を読み取る読み取り速度を一定割合で低速化するモータドライバ（３３）と、原稿の情報を読み取る読み取り速度が低速化されたことを報知する表示部（９３）と、を有する。【選択図】図１
2010109982.tif 000002
【特許請求の範囲】
【請求項１】
装置内部の所定の位置の温度を測定する温度測定手段と、
前記温度測定手段が測定した温度が基準温度に達したことを判定する判定手段と、
前記判定手段の判定結果に基づいて、原稿の情報を読み取る読み取り速度を一定割合で低速化する速度制御手段と、
前記速度制御手段により、原稿の情報を読み取る読み取り速度が一定割合で低速化されたことを報知する報知手段と、
を有することを特徴とする画像読取装置。
【請求項２】
前記原稿の情報を照明する照明光を出力する照明手段と、
前記照明手段による照明光を前記原稿に照射する読み取り位置提供手段と、
前記速度制御手段により前記読み取り速度が低速化された際に、前記照明手段が出力する照明光の光量を前記速度制御手段による前記読み取り速度と関連づけられた一定割合で減少する光量制御手段と、
をさらに有することを特徴とする請求項１記載の画像読取装置。
【請求項３】
前記温度測定手段は、前記読み取り位置提供手段の近傍に位置することを特徴とする請求項２記載の画像読取装置。
【請求項４】
原稿読み取り位置近傍の温度を測定し、
測定した温度が原稿読み取り位置の許容する上限温度に達した場合に、原稿読み取り位置を照明する照明光の光量、及び原稿の情報を読み取る読み取り速度を、一定割合で低下し、
原稿読み取り速度が低速化されたことを、報知することを特徴とする画像読取方法。
【請求項５】
前記原稿読み取り位置近傍の温度が上限温度よりも低い温度になった場合、前記照明光の光量、及び前記読み取り速度に対する前記一定割合の低下を解除することを特徴とする請求項４記載の画像読取方法。
【発明の詳細な説明】
【技術分野】
【０００１】
この発明は、読み取り対象物が含む情報を電気信号に変換する画像読取装置及びその方法に関する。
【背景技術】
【０００２】
読み取り装置は、読み取り対象物すなわち原稿に光を照射し、原稿からの反射光をＣＣＤ（Charge Coupled Device）等の固体撮像素子に導いて、原稿（読み取り対象物）の画像を電気的に読み取り、画像信号を得る。原稿がシート状である場合、複数の原稿について、読み取りと原稿の入れ替えを自動的に行う自動原稿搬送装置（ＡＤＦ，Automatically Document Feeder）を用いることができる。
【０００３】
自動原稿搬送装置は、給紙トレイに位置した原稿を１枚取り出し［取り出し］、ローラ等の搬送機構を使ってスリットガラス部と呼ばれる原稿読み出し位置に搬送し［搬送］、読み取りが終了した原稿を、最終的に排紙トレイに排出する［排出］。
【０００４】
原稿搬送装置は、給紙トレイに位置した原稿が無くなるまで、上記［取り出し］〜［搬送］〜［排出］を繰り返す。
【０００５】
読み取り装置は、ＣＣＤの前段に、原稿に光を照射する光源、原稿から反射した画像光（散乱光）をＣＣＤに導く少なくとも１つの折り返しミラー、画像光を集光するレンズ等を含む。
【０００６】
読み取り装置は、ＣＣＤに対して画像光を提供可能に原稿に光を照射するスリット状のガラス（以下スリットガラスと称する）をさらに含み、スリットガラスに沿って移動する原稿を、上述の光源からの光により照明して反射光（画像光）を得る。画像光は、上述のミラーが規定する所定の光路を通り、上述のレンズが提供する集光性によりＣＣＤに集光する。
【０００７】
特許文献１（先行技術文献）は、シートスルー方式の画像読取装置において、特定種別の原稿であることを検出して原稿搬送速度（搬送モータ速度）を変更することを開示する。
【発明の概要】
【発明が解決しようとする課題】
【０００８】
特許文献１が示す画像読取装置は、原稿の枚数と読み取り速度との関係についての記載が無い。また、原稿の枚数とスリットガラスの温度との関係についても何ら開示がない。
【０００９】
しかしながら、読み取り装置の生産性向上すなわち読み取り速度を高めるために、読み取り速度を速くすると、ＣＣＤの単位時間当たりの受光量が低下して読み取り画像の画質劣化に繋がる。これを解決するには、固体撮像素子の単位時間当たりの受光量が低下しないように、原稿照射光を増加すること、つまり照射光量を増やす方法が上げられる。
【００１０】
しかし、照射光量を増やすと、機体内の温度上昇が引き起こり、特に原稿搬送装置による大量原稿読み取り時には、スリットガラスが高温になることが知られている。
【００１１】
この発明の目的は、対象物を照明する照明光の光量と読み取り速度を単位時間当たりの読み取り枚数に応じて変更し、スリットガラスの温度が一定の温度以上となることを抑止して安全性を向上した画像読み取り装置及びその方法を提供することである。
【課題を解決するための手段】
【００１２】
この発明は、上記問題点に基づきなされたもので、装置内部の所定の位置の温度を測定する温度測定手段と、前記温度測定手段が測定した温度が基準温度に達したことを判定する判定手段と、前記判定手段の判定結果に基づいて、原稿の情報を読み取る読み取り速度を一定割合で低速化する速度制御手段と、前記速度制御手段により、原稿の情報を読み取る読み取り速度が一定割合で低速化されたことを報知する報知手段と、を有することを特徴とする画像読取装置を提供するものである。
【発明の効果】
【００１３】
この発明の一つの実施の形態によれば、既に設定してある基準温度に従って、スリットガラスが高温になる危険性がある場合は、原稿照射光量を低減させた低速読み取りに自動的に切り替えることが可能となる。また、読み取り速度が低速に切り替わること、及び切り替わったこと、あるいは低速での読み取り開始となることが、ユーザに報知される。
【００１４】
すなわち、測定した機体内温度に基づいて、シートスルー方式による連続した原稿の情報を読み取る際に、ユーザが誤って触れた場合であっても『熱い』と感じることの無いスリットガラス温度を維持することで、（読み取り時間が増加するが、）例えば『ガラスが熱いのは故障ではないか？』／『このまま使い続けた場合、発熱により故障するのではないか？』というような、不要な疑問をユーザが抱くことが抑止できる。
【００１５】
なお、読み取り途中で読み取り速度が低下した場合、『故障ではないか？』という疑問を抱かせることも考えることができる。また、スリットガラスの温度が高い（触ると熱い）ことを、ユーザが認識可能となり、ユーザが、不所望にスリットガラスに手を触れることが無くなることが期待できる。
【００１６】
従って、安全性が高く、しかも色ずれの発生や光電変換特性の劣化（変動）、あるいは取り付け部の熱変形による位置ずれ等のない画像読取装置及びその方法が得られる。
【図面の簡単な説明】
【００１７】
【図１】本発明が適用される画像読取装置の構成の一例を示す概略図。
【図２】図１に示す画像読取装置において、読み取り枚数と読み取り速度との関係を設定する制御の一例を示す概略図。
【図３】図１に示す画像読取装置において、読み取り開始時の読み取り条件（読取速度）をユーザに案内する制御の一例を示す概略図。
【図４】図１に示す画像読取装置において、ユーザへの報知のために、表示部が表示する表示例の一例を示す概略図。
【図５】図１に示す画像読取装置において、ユーザへの報知のために、表示部が表示する表示例の一例を示す概略図。
【図６】図１に示す画像読取装置において、ユーザへの報知のために、表示部が表示する表示例の一例を示す概略図。
【図７】図１に示す画像読取装置において、ユーザへの報知のために、表示部が表示する表示例の一例を示す概略図。
【図８】図１に示す画像読取装置において、ユーザへの報知のために、表示部が表示する表示例の一例を示す概略図。
【発明を実施するための形態】
【００１８】
以下、図面を参照して、本発明の実施の形態について説明する。
【００１９】
図１は、この発明が適用可能な画像読取装置を示す。
【００２０】
図１に示す画像読取装置１は、読み取り対象物すなわち原稿がシート状である場合に、１枚ずつ読み取り位置に搬送し、読み取りが終了した原稿を排出し、次の原稿を読み取り位置に供給する自動原稿送り装置（ＡＤＦ，Automatically Document Feeder）１０１を一体に有する。なお、ＡＤＦ１０１は、読み取り対象物が立体物や本等である場合の読み取りも可能であり、画像読取装置１のテーブルガラス５に対して密着しない開放状態でも利用できる。
【００２１】
ＡＤＦ１０１は、駆動モータ１０３が提供する駆動力で回転するピックアップローラ１１１により、原稿トレイ１０７にセットされたシート状の原稿Ｄを取り出し、給紙ローラ１１３、搬送ローラ１１７，１１９，１２１，１２３，１２５，１２７により搬送して、排出トレイ１０９に案内する。原稿Ｄは、給紙ローラ１１３に対して逆方向に回転する分離ローラ１１５により、２枚目以降が原稿トレイ１０７側に押し戻されることにより、１枚に分離される。なお、駆動モータ１０３の回転数は、モータドライバ１０５により設定される。また、ＡＤＦ１０１は、原稿Ｄの表裏を反転する機能を有するが、詳細な説明は省略する。
【００２２】
原稿Ｄは、搬送ローラ１２１と１２３との間で、画像読取装置１のスリットガラス３上を移動する。スリットガラス３は、原稿Ｄを照明するキセノンランプ１１を保持した第１（ランプ）キャリッジ７と第２（ミラー）キャリッジ９が予めスリットガラス３を透過した原稿Ｄからの反射光を取得可能に位置した状態において、シートスルー方式とよばれる原稿画像の読み取りを可能とする。なお、搬送ローラ１２１は、搬送されている原稿Ｄの先端を一旦停止させることで、原稿Ｄの姿勢を矯正できる（原稿Ｄの搬送時や取り出し時に生じることのある傾きを除去できる）。
【００２３】
キセノンランプ１１からの照明光は、スリットガラス３上を移動する原稿Ｄを連続して照明する。原稿Ｄからの反射光（原稿上での散乱光）すなわち原稿Ｄが保持した画像や文字が光の明暗に変換された画像光は、第１ミラー１３、第２ミラー１５、第３ミラー１７により順に反射され、集光レンズ１９により固体撮像素子（ＣＣＤ，Charge Coupled Device）２１に結像する。なお、原稿Ｄがテーブルガラス５上に位置する場合においても同様であるが、その場合、キセノンランプ１１及び第１ミラー１３は、第１（ランプ）キャリッジ７により、テーブルガラス５に沿って一定の速度で移動することは周知の通りである。この場合は、第２キャリッジ９が第１キャリッジ７の１／２の速度で移動することで、ＣＣＤ２１に結像する画像光のフォーカスが維持できる。また、第１キャリッジ７及び第２のキャリッジ９が移動する速度は、読み取り倍率／解像度に従い、駆動モータ３１にモータドライバ３３から供給される入力パルス数により、任意に変更される。
【００２４】
ＣＣＤ２１は、受光した画像光を光電変換し、画像データを出力する。出力された画像データは、データメモリ２７に格納される。データメモリ２７が保持した画像データは、画像処理部７１により、例えば輪郭補正等の処理が施され、インタフェース８１を経由して外部装置、例えば画像形成装置（プリンタ）や、画像表示装置（ビデオ再生装置）等に供給される。
【００２５】
原稿Ｄの画像を読み取る際に規定される上述した読み取り倍率／解像度は、操作パネル９１を介して主制御部５１に入力される。
【００２６】
ところで、シートスルー方式で原稿Ｄの情報を読み取る場合、連続して情報を読み取る原稿Ｄの枚数が多いと、継続してキセノンランプ１１が点灯し、スリットガラス３の同一箇所が照明されることにより、スリットガラス３の温度が急激に上昇する。この場合、ユーザの指や手が触れた場合、火傷をすることはないものの、ユーザが熱いと感じる温度まで上昇することもある。このため、安全規格上からも、スリットガラス３（あるいはテーブルガラス５）に代表されるユーザが容易に触れることのできる任意の位置における最大上昇温度に関する規定がある。
【００２７】
このような背景から、スリットガラス３の近傍に、画像読取装置１内の温度（以下機体内温度とする）を検出する温度センサー２３を設け、温度検出部２５により機体内温度を数値化し、主制御装置５１にて機体内温度が一定以上に達した時点で、読み取り速度を一定割合で低速化し、機体内温度（スリットガラス温度）が、一定温度以上に達することを抑止する。なお、機体内温度から読み取り速度を低速化するための演算用プログラムと各種温度データは、予め記憶装置（ＲＯＭ，Read Only Memory）５３に記憶されている。また、機体内温度に従って読み取り速度が低速化することをユーザに報知するために必要となるメッセージを操作部９１の表示領域９３に表示するために用いるメッセージデータも、ＲＯＭ５３が保持している。なお、ＲＯＭ５３を書き換え可能な記憶装置、例えば不揮発性メモリとすることで、表示領域９３に表示するメッセージを、適宜変更することができる。また、書き換え可能な記憶装置を用いる場合は、機体内温度の変化の特性に合わせて、読み取り速度を低速化する程度を、随時偏向可能となる。
【００２８】
例えば、図２により一例を示すが、ＡＤＦ（自動原稿送り装置）１０１の給紙トレイ１０７に所定枚数の原稿Ｄが置かれ、操作パネル９１の図示しないスタートボタンが押されると、温度センサー２３により、機体内温度を測定する（ａｃｔ［１］）。
【００２９】
次に、ＲＡＭ５３から温度上昇データを取り込む（ａｃｔ［２］）。
【００３０】
以下、取り込んだ温度上昇データに基づいて、ユーザの指や手が触れた場合にユーザが熱いと感じる上限温度に達するまでに読み取り可能な原稿の枚数である「危険原稿読み取り枚数」を計算する（ａｃｔ［３］）。
【００３１】
例えば、機体内上限温度（ユーザの指や手が触れた場合にユーザが熱いと感じる上限温度が５０℃、温度上昇係数ａ（高速読み取り用）が０．０５℃／、温度上昇係数ｂ（低速読み取り用）が０．０２℃／枚に設定されている場合を考える。
【００３２】
高速読み取り用の温度上昇係数ａは、高速読み取り速度により原稿一枚を搬送して読み取り動作をする場合に、上昇する装置内（機体内）温度を示している。すなわち、「０．０５℃／枚（温度上昇係数ａ）」は、原稿２０枚搬送にて機体内温度が１℃上昇することを意味している。
【００３３】
低速読み取り用の温度上昇係数ｂは、低速読み取り速度により原稿一枚を搬送して読み取り動作をする場合に、上昇する装置内（機体内）温度を示している。すなわち、「０．０２℃／枚（温度上昇係数ｂ）」は、原稿５０枚搬送にて装置内温度が１℃上昇することを意味している。
【００３４】
ここで、機体内温度が４７．５℃であった場合を考える。ユーザの指や手が触れた場合にユーザが熱いと感じる上限温度に達するまでに読み取り可能な原稿の枚数である「危険原稿読み取り枚数」は、次のように求めることができる。
【００３５】
機体内危険温度：５０℃    
機体内温度：４７．５℃    
温度上昇係数ａ：０．０５℃／枚    
であるから、    
機体内上限温度までの余裕温度    
＝機体内危険温度−機体内温度    
＝５０℃−４７．５℃＝２．５℃。
【００３６】
機体内上限温度までの原稿搬送可能枚数    
＝機体内危険温度までの余裕温度÷温度上昇係数ａ    
＝２．５℃÷０．０５℃／枚    
＝５０枚。
【００３７】
この計算結果に従って、主制御部５１からパネルＣＰＵ９５を経由して、操作部９１の表示部９３に、第１の表示（メッセージ）が表示される（ａｃｔ［４］）。
【００３８】
表示内容としては、図４に、［Ａ］として説明するが、例えば、    
『５０枚以上の原稿を読み取ると、    
読み取り部ガラスが高温になる可能性があります。    
その場合は、低速読み取りへ切り替えます。』    
である。
【００３９】
なお、機体内危険温度（機体内上限温度）を５０℃とする理由は、スリットガラス３をユーザが指で触ったとき、火傷をするわけではないが、『熱いと感じる温度である４５℃（スリットガラス３の表面の温度の上限）』に、約１０分で到達する温度として設定してある。
【００４０】
以下、再度機体内温度を測定する（ａｃｔ［５］）。
【００４１】
その結果から、「機体内温度は設定危険温度以下か？」を判断する（ａｃｔ［６］）。
【００４２】
設定危険温度以下の場合（ａｃｔ［６］−ＹＥＳ）、原稿照射光量（キセノンランプの発光量）を高速読み取り用に設定し（ａｃｔ［１１］）、読み取り速度を高速へ切り替える（ａｃｔ［１２］）。
【００４３】
以下、ＲＯＭ５３から読み出したメッセージデータに基づいて、主制御部５１とパネルＣＰＵ９５を経由し、操作部９１の表示部９３に、第２の表示（メッセージ）が表示される（ａｃｔ［１３］）。
【００４４】
表示内容としては、図５に、［Ｂ］として説明するが、例えば、    
『高速読み取りによる原稿読み取りを実行中です。』    
である。
【００４５】
以下、再度機体内温度を測定し（ａｃｔ［１４］）、その結果から、「機体内温度は設定危険温度以下か？」を判断する（ａｃｔ［１５］）。
【００４６】
設定危険温度以下の場合（ａｃｔ［１５］−ＹＥＳ）、そのまま高速読み取り処理を実行する（ａｃｔ［１６］）。
【００４７】
以下、給紙トレイ１０７の図示しないエンプティセンサーによって、全ての原稿を読み取ったか？を判断し（ａｃｔ［１７］）、トレイ１０７が保持する原稿が無くなった時点で読み取り全動作を終了する（ａｃｔ［１７］−ＹＥＳ）。
【００４８】
もちろん、全ての原稿の読み取りが終了するまでの間、機体内温度測定（ａｃｔ［１４］）と「機体内温度は設定危険温度」判断（ａｃｔ［１５］）と高速読み取り処理（ａｃｔ［１６］）が繰り返され（ａｃｔ［１７］−ＮＯ）、「機体内温度が設定危険温度」となった時点で（ａｃｔ［１５］−ＮＯ）、以下に説明するａｃｔ［２１］以降（低速読み取り）が実行される。
【００４９】
すなわち、原稿照射光（キセノンランプの発光量）を低減して低速読み取り用に設定し（ａｃｔ［２１］）、読み取り速度を低速読み取りへ切り替える（ａｃｔ［２２］）。なお、低速読み取りは、一例ではあるが高速読み取り速度の半分の読み取り速度に設定してある。また、このとき、ＡＤＦ１０１側のモータドライバ１０５に対し、搬送モータ１０３の回転数を１／２に低減するよう、主制御部５１から制御信号が供給される。同時に、主制御部５１により、ＣＣＤ２１による画像読取速度（データ転送速度）が、低減された照明光及び読み取り速度に応じて変化される。
【００５０】
その後、ＲＯＭ５３から読み出したメッセージデータに基づいて、主制御部５１とパネルＣＰＵ９５を経由し、操作部９１の表示部９３に、第３の表示（メッセージ）が表示される（ａｃｔ［２３］）。
【００５１】
表示内容としては、図６に、［Ｃ］として説明するが、例えば、    
『読み取り部ガラスの温度が高くなりました。    
低速による原稿読み取りを実施中です。』    
である。
【００５２】
以下、再度機体内温度を測定し（ａｃｔ［２４］）、その結果から、「機体内温度は設定危険温度以下か？」を判断する（ａｃｔ［２５］）。
【００５３】
設定危険温度以下の場合（ａｃｔ［２５］−ＮＯ）、そのまま低速読み取り処理を実行する（ａｃｔ［２６］）。
【００５４】
以下、給紙トレイ１０７の図示しないエンプティセンサーによって、全ての原稿を読み取ったか？を判断し（ａｃｔ［２７］）、トレイ１０７が保持する原稿が無くなった時点で読み取り全動作を終了する（ａｃｔ［２７］−ＹＥＳ）。
【００５５】
もちろん、全ての原稿の読み取りが終了するまでの間、機体内温度測定（ａｃｔ［２４］）と「機体内温度は設定危険温度」判断（ａｃｔ［２５］）と低速読み取り処理（ａｃｔ［２６］）が繰り返され（ａｃｔ［２７］−ＮＯ）、「機体内温度が設定危険温度以下」となった時点で（ａｃｔ［２５］−ＹＥＳ）、ａｃｔ［１１］以降（高速読み取り）が実行される。
【００５６】
なお、低速読み取り処理中に、機体内温度が設定温度以下となった場合は（ａｃｔ［２５］−ＹＥＳ）、機体内温度測定（ａｃｔ［５］）に戻って、高速読み取り処理・低速読み取り処理のどちらで読み取りを行うかを判断してもよい（ａｃｔ［６］）。同様に、高速読み取り処理中に、機体内温度が設定温度となった場合（ａｃｔ［１５］−ＮＯ）においても、機体内温度測定（ａｃｔ［５］）に戻って、もう一度機体内温度を測定し、高速読み取り処理・低速読み取り処理のどちらで読み取りを行うかを判断してもよい（ａｃｔ［６］）。
【００５７】
また、表示部９３への可視可能なメッセージの表示に加え、あるいは独立して、音声によりユーザに報知してもよいことはいうまでもない。
【００５８】
このように、測定した機体内温度に基づいて、シートスルー方式による連続した原稿の情報を読み取る際に、ユーザが誤って触れた場合であっても『熱い』と感じることの無いスリットガラス温度を維持することで、（読み取り時間が増加するが、）例えば『ガラスが熱いのは故障ではないか？』／『このまま使い続けた場合、発熱により故障するのではないか？』というような、不要な疑問をユーザが抱くことが抑止できる。
【００５９】
なお、読み取り途中で読み取り速度が低下した場合、『故障ではないか？』という疑問を抱かせることも考えることができる。
【００６０】
このような背景から、図３により一例を示すが、ユーザが読み取りを開始しようとした場合、すなわちＡＤＦ（自動原稿送り装置）１０１の給紙トレイ１０７に所定枚数の原稿Ｄが置かれ、操作パネル９１の図示しないスタートボタンが押された時点で、温度センサー２３により、機体内温度を測定し（ａｃｔ［１０１］）、ＲＡＭ５３から温度上昇データを取り込み（ａｃｔ［１０２］）、機体内上限温度（ユーザの指や手が触れた場合にユーザが熱いと感じる上限温度に達しているか否か、すなわち高速読み取りが可能か否かを判断し（ａｃｔ［１０３］）、判断した結果に基づいて、利用可能な読み取り速度を操作パネル９１の表示部９３に表示する（ａｃｔ［１０４］）ことも可能である。
【００６１】
表示内容としては、ＲＯＭ５３から読み出したメッセージデータに基づいて、図３に、表示［４］として示すタイミング（ａｃｔ［１０４］）において、例えば、    
図７に［Ｄ］として示す    
『高速モードで原稿読み取りが可能です』、あるいは    
図８に［Ｅ］として示す    
『低速モードで原稿読み取りが可能です』    
が有効であり、例えば『［Ｅ］』が表示された場合には、概ね２０枚／分の読み取り速度となることを、ユーザが簡単に理解できることになる。この場合も、表示部９３への可視可能なメッセージの表示に加え、あるいは独立して、音声によりユーザに報知してもよいことはいうまでもない。
【００６２】
また、同表示または報知により、スリットガラス３の温度が高い（触わると熱い）ことをユーザが認識可能となり、ユーザが、不所望にスリットガラスに手を触れることが無くなることが期待できる。
【００６３】
なお、機体内温度が一定温度を超えることがないよう、キセノンランプ１１が出射する光の強度（出射光量）を機体内温度に応じて抑制することにより、ＣＣＤ２１の温度上昇を一定範囲内とすることができ、ＣＣＤ２１の温度上昇による色ずれの発生や光電変換特性の劣化（変動）、あるいは取り付け部の熱変形による位置ずれ等を防止できる。また、キセノンランプ１１の寿命が延びる、という副次的な効果も期待できる。
【００６４】
以上説明したように、この発明によれば、既に設定してある基準温度に従って、スリットガラスが高温になる危険性がある場合は、原稿照射光量を低減させた低速読み取りに自動的に切り替えることが可能となる。また、読み取り速度が低速に切り替わること、及び切り替わったこと、あるいは低速での読み取り開始となることが、ユーザに報知される。
【００６５】
すなわち、測定した機体内温度に基づいて、シートスルー方式による連続した原稿の情報を読み取る際に、ユーザが誤って触れた場合であっても『熱い』と感じることの無いスリットガラス温度を維持することで、（読み取り時間が増加するが、）例えば『ガラスが熱いのは故障ではないか？』／『このまま使い続けた場合、発熱により故障するのではないか？』というような、不要な疑問をユーザが抱くことが抑止できる。
【００６６】
なお、読み取り途中で読み取り速度が低下した場合、『故障ではないか？』という疑問を抱かせることも考えることができる。また、スリットガラスの温度が高い（触ると熱い）ことを、ユーザが認識可能となり、ユーザが、不所望にスリットガラスに手を触れることが無くなることが期待できる。
【００６７】
従って、安全性が高く、しかも色ずれの発生や光電変換特性の劣化（変動）、あるいは取り付け部の熱変形による位置ずれ等のない画像読取装置が得られる。
【００６８】
なお、この発明は、上述した各実施の形態に限定されるものではなく、その実施の段階ではその要旨を逸脱しない範囲で種々な変形もしくは変更が可能である。また、各実施の形態は、可能な限り適宜組み合わせて、もしくは一部を削除して実施されてもよく、その場合は、組み合わせもしくは削除に起因したさまざまな効果が得られる。
【符号の説明】
【００６９】
１…画像読取装置、３…スリットガラス、５…テーブルガラス、７…第１（ランプ）キャリッジ、９…第２（ミラー）キャリッジ、１１…キセノンランプ、１３…第１ミラー、１５…第２ミラー、１７…第３ミラー、１９…集光レンズ、２１…ＣＣＤセンサー（固体撮像素子）、２３…スリットガラス温度センサー、２５…温度検出部、２７…データメモリ、３１…スキャンモータ、３３…モータドライバ、５１…主制御部、５３…ＲＯＭ（メモリテーブル）、７１…画像処理部、８１…インタフェース、９１…コントロールパネル、９３…表示部、９５…パネルＣＰＵ、１０１…自動原稿送り装置（ＡＤＦ）、１０３…搬送モータ、１０５…モータドライバ、１０７…原稿トレイ、１０９…排出トレイ、１１１…ピックアップローラ、１１３…給紙ローラ、１１５…分離ローラ、１１７，１１９…搬送ローラ、１２１…レジストローラ（搬送ローラ）、１２３，１２５，１２７…搬送ローラ。
【先行技術文献】
【特許文献】
【００７０】
【特許文献１】特開２００５−１８４４９７号公報
【図１】
2010109982.tif 000003
【図２】
2010109982.tif 000004
【図３】
2010109982.tif 000005
【図４】
2010109982.tif 000006
【図５】
2010109982.tif 000007
【図６】
2010109982.tif 000008
【図７】
2010109982.tif 000009
【図８】
2010109982.tif 000010